(57)【要約】 【課題】  光ディスク上の光スポットを的確にトラックジャンプさせる。【解決手段】  光ディスクＤＫ上の光スポットは、トラックエラー信号生成回路３２によって生成されるトラックエラー信号に基づいてトラック追従するようにサーボ制御される。ジャンプパルス信号発生回路４１は、正および負パルス信号からなって光スポットをトラックジャンプさせるためのジャンプパルス信号を発生してトラックサーボ制御信号に重畳する。ゼロクロスタイミング検出回路４３は、トラックジャンプ信号の発生時にトラックエラー信号のゼロクロスを検出する。ずれ量計算回路４４は、ゼロクロスタイミングと予め決められたゼロクロス基準タイミングとのタイミングずれ量を計算する。波高値変更量計算回路４５は、タイミングずれ量に応じた波高値変更量を計算して、波高値可変回路４２を制御してジャンプパルス信号の波高値を波高値変更量に応じて変更制御する。【選択図】  図１
2005108276.tif 000002
【特許請求の範囲】
【請求項１】
レーザ光を放射するレーザ光源と、前記レーザ光源からのレーザ光による光スポットを光ディスク上に形成する対物レンズと、前記光スポットによる光ディスクからの反射光を前記対物レンズを介して受光して同受光した反射光を表す電気信号を出力するフォトディテクタと、前記対物レンズを光ディスクの径方向に駆動するトラックアクチュエータとを有する光ピックアップを制御するための光ディスク装置であって、前記フォトディテクタから出力される電気信号に基づいて光ディスクに設けたトラックに対する光スポットのずれ量を表すトラックエラー信号を生成するトラックエラー信号生成手段と、前記トラックエラー信号に基づいて作成した制御信号により前記トラックアクチュエータを駆動して前記光スポットをトラック追従させるドライブ手段とを備えた光ディスク装置に適用され、
正パルス信号および負パルス信号からなって前記光スポットをトラックジャンプさせるためのジャンプパルス信号を発生して前記トラックエラー信号に基づいて作成した制御信号に重畳するジャンプパルス信号発生手段と、
前記トラックジャンプ信号の発生時に前記トラックエラー信号のゼロクロスを検出するとともに同検出されたゼロクロスのタイミングと予め決められたゼロクロス基準タイミングとのタイミングずれ量を検出するゼロクロスタイミングずれ量検出手段と、
前記検出されたタイミングずれ量に応じて前記トラックエラー信号に重畳されるジャンプパルス信号の波高値を制御する波高値制御手段と
を備えたことを特徴とするトラックジャンプ制御装置。
【請求項２】
請求項１に記載したトラックジャンプ制御装置において、さらに、
前記ジャンプパルス信号発生手段から発生されるジャンプパルス信号の波高値を可変しながら、前記トラックエラー信号生成手段から出力されるトラックエラー信号を観察して、前記トラックエラー信号に重畳されるジャンプパルス信号の初期の波高値および前記ゼロクロス基準タイミングを決定するとともに入力するための入力手段を設けたことを特徴とするトラックジャンプ制御装置。
【請求項３】
請求項１に記載したトラックジャンプ制御装置において、さらに、
前記トラックジャンプ信号の発生開始時点から同トラックジャンプ信号による変化が前記トラックエラー信号に現れるまでの遅れ時間を検出して、同検出した遅れ時間と予め決められた基準遅れ時間との差を表す遅れ時間ずれ量を計算する遅れ時間ずれ量検出手段を設け、
前記波高値制御手段は、前記ゼロクロスのタイミングずれ量を前記遅れ時間ずれ量に応じて補正し、同補正したタイミングずれ量に応じて前記トラックエラー信号に重畳されるジャンプパルス信号の波高値を制御するようにしたことを特徴とするトラックジャンプ制御装置。
【請求項４】
請求項３に記載したトラックジャンプ制御装置において、さらに、
前記ジャンプパルス信号発生手段から発生されるジャンプパルス信号の波高値を可変しながら、前記トラックエラー信号生成手段から出力されるトラックエラー信号を観察して、前記トラックエラー信号に重畳されるジャンプパルス信号の初期の波高値、前記ゼロクロス基準タイミングおよび前記基準遅れ時間を決定して入力するための入力手段を設けたことを特徴とするトラックジャンプ制御装置。
【請求項５】
レーザ光を放射するレーザ光源と、前記レーザ光源からのレーザ光による光スポットを光ディスク上に形成する対物レンズと、前記光スポットによる光ディスクからの反射光を前記対物レンズを介して受光して同受光した反射光を表す電気信号を出力するフォトディテクタと、前記対物レンズを光ディスクの径方向に駆動するトラックアクチュエータとを有する光ピックアップを制御するための光ディスク装置であって、前記フォトディテクタから出力される電気信号に基づいて作成した制御信号により光ディスクに設けたトラックに対する光スポットのずれ量を表すトラックエラー信号を生成するトラックエラー信号生成手段と、前記トラックエラー信号に基づいて前記トラックアクチュエータを駆動して前記光スポットをトラック追従させるドライブ手段とを備えた光ディスク装置に適用され、
正パルス信号および負パルス信号からなって前記光スポットをトラックジャンプさせるためのジャンプパルス信号を発生して前記トラックエラー信号に基づいて作成した制御信号に重畳するジャンプパルス信号発生ステップと、
前記トラックジャンプ信号の発生時に前記トラックエラー信号のゼロクロスを検出するとともに同検出されたゼロクロスのタイミングと予め決められたゼロクロス基準タイミングとのタイミングずれ量を検出するゼロクロスタイミングずれ量検出ステップと、
前記検出されたタイミングずれ量に応じて前記トラックエラー信号に重畳されるジャンプパルス信号の波高値を制御する波高値制御ステップと
を含むことを特徴とするトラックジャンプ制御方法。
【請求項６】
請求項５に記載したトラックジャンプ制御方法において、さらに、
前記トラックエラー信号に重畳されるジャンプパルス信号の波高値を可変しながら、前記トラックエラー信号生成手段から出力されるトラックエラー信号を観察して、前記トラックエラー信号に重畳されるジャンプパルス信号の初期の波高値および前記ゼロクロス基準タイミングを決定するとともに入力するための入力ステップを含むことを特徴とするトラックジャンプ制御方法。
【請求項７】
請求項５に記載したトラックジャンプ制御方法において、さらに、
前記トラックジャンプ信号の発生開始時点から同トラックジャンプ信号による変化が前記トラックエラー信号に現れるまでの遅れ時間を検出して、同検出した遅れ時間と予め決められた基準遅れ時間との差を表す遅れ時間ずれ量を計算する遅れ時間ずれ量検出ステップを含み、
前記波高値制御ステップは、前記ゼロクロスのタイミングずれ量を前記遅れ時間ずれ量に応じて補正し、同補正したタイミングずれ量に応じて前記トラックエラー信号に重畳されるジャンプパルス信号の波高値を制御するようにしたことを特徴とするトラックジャンプ制御方法。
【請求項８】
請求項７に記載したトラックジャンプ制御方法において、さらに、
前記トラックエラー信号に重畳されるジャンプパルス信号の波高値を可変しながら、前記トラックエラー信号生成手段から出力されるトラックエラー信号を観察して、前記トラックエラー信号に重畳されるジャンプパルス信号の初期の波高値、前記ゼロクロス基準タイミングおよび前記基準遅れ時間を決定して入力するための入力ステップを含むことを特徴とするトラックジャンプ制御方法。
【発明の詳細な説明】
【技術分野】
【０００１】
本発明は、レーザ光源からのレーザ光によって光ディスク上に形成される光スポットをトラック追従させる光ディスク装置に適用され、光スポットをトラックジャンプさせるトラックジャンプ制御装置およびトラックジャンプ制御方法に関する。
【背景技術】
【０００２】
従来から、レーザ光源から放射されるレーザ光を対物レンズにより光ディスク上に集光させて光スポットを形成するとともに、この光スポットを光ディスクのトラックに追従させている最中に、同トラック追従のためにトラックアクチュエータに供給されているトラックエラー信号に基づいて作成した制御信号（トラックサーボ制御信号）に、正パルス信号（キックパルス信号）および負パルス信号（ブレーキパルス信号）からなるジャンプパルス信号を重畳して、光スポットを瞬間的に隣のトラックに移動させるトラックジャンプはよく知られている。このトラックジャンプにおいては、例えば下記特許文献１に示されているように、ジャンプパルス信号の発生終了時におけるトラックエラー信号の電圧（基準電圧からのずれ量を表す電圧）を検出して、同検出した電圧に応じてトラックエラー信号に次回に重畳されるジャンプパルス信号の波高値を変更制御することにより、トラックジャンプ後に光スポットがトラックの中心位置に来るようにしている。図７(Ａ)は、この方法によってトラックジャンプが理想的に行われている場合におけるトラックエラー信号とジャンプパルス信号を示している。図７(Ｂ)は、光スポットの移動が遅れている場合におけるトラックエラー信号とジャンプパルス信号を示している。図７(Ｃ)は、光スポットの移動が早過ぎる場合におけるトラックエラー信号とジャンプパルス信号を示している。
【特許文献１】特許第２７９９１０３号公報
【０００３】
しかし、本発明者が、前記従来の方法による制御結果を調べた結果、多くの場合に、ジャンプパルス信号に対するトラックエラー信号は図７(Ａ)のように変化することはなく、図８に示すように、ジャンプパルス信号に対してトラックエラー信号に時間遅れが生じていることが判明した。そして、このジャンプパルス信号に対するトラックエラー信号の時間遅れの量が、光ピックアップの種類に応じて異なっていることも判明した。したがって、この時間遅れの原因は、対物レンズを光ディスクの径方向に移動させるトラックアクチュエータに作動遅れがあるためであり、トラックアクチュエータの構造によって前記時間遅れの量に差が生じているものと推定される。
【０００４】
その結果、前記従来の方法は、ジャンプパルス信号に対してトラックエラー信号に時間遅れが生じない光ピックアップに対してのみ有効であり、多くの光ピックアップに対してトラックジャンプ時に光スポットを隣のトラックの中心位置に的確にジャンプさせる方法としては有効ではない。すなわち、この時間遅れのために、ジャンプパルス信号の終了時点におけるトラックエラー信号の基準電位からのずれ量を用いて次回のジャンプパルス信号の波高値を制御しても、このずれ量自体が実際のトラックジャンプの終了時におけるものではないので、光スポットを隣のトラックの中心位置に的確にジャンプさせることはできず、光スポットは隣のトラックの中心位置に移動した後にも振動するという問題がある。
【発明の開示】
【０００５】
本発明は上記問題に対処するためになされたもので、その目的は、ジャンプパルス信号に対するトラックエラー信号の遅れを考慮して、トラックジャンプ時に光スポットを隣のトラックの中心位置に的確にジャンプさせることを可能としたトラックジャンプ装置およびトラックジャンプ方法を提供するものである。
【０００６】
前記目的を達成するために、本発明の特徴は、正パルス信号および負パルス信号からなって光スポットをトラックジャンプさせるためのジャンプパルス信号を発生して、光スポットをトラック追従させるためのトラックエラー信号に重畳するジャンプパルス信号発生手段と、トラックジャンプ信号の発生時にトラックエラー信号のゼロクロスを検出するとともに同検出されたゼロクロスのタイミングと予め決められたゼロクロス基準タイミングとのタイミングずれ量を検出するゼロクロスタイミングずれ量検出手段と、前記検出されたタイミングずれ量に応じてトラックエラー信号に重畳されるジャンプパルス信号の波高値を制御する波高値制御手段とを備えたことにある。
【０００７】
この場合、例えば、入力手段をさらに設けて、ジャンプパルス信号発生手段から発生されるジャンプパルス信号の波高値を可変しながら、トラックエラー信号生成手段から出力されるトラックエラー信号を観察して、トラックエラー信号に重畳されるジャンプパルス信号の初期の波高値およびゼロクロス基準タイミングを決定するとともに入力するようにすることができる。このトラックエラー信号の観察においては、光スポットが隣のトラックの中心位置に移動した後に、同光スポットの振動が小さくて短時間で収束するように、ジャンプパルス信号の波高値を決定して、そのときのジャンプパルス信号の波高値およびトラックエラー信号のゼロクロスタイミングを、ジャンプパルス信号の初期の波高値およびゼロクロス基準タイミングとしてそれぞれ決定すればよい。また、入力手段を設けなくても、前記方法により、ジャンプパルス信号の初期の波高値およびゼロクロス基準タイミングを別途定め、ジャンプパルス信号発生手段が前記別途定めた初期の波高値でジャンプパルス信号の発生を開始するようにするとともに、同別途定めたゼロクロス基準タイミングを予め決められたゼロクロス基準タイミングとしてゼロクロスタイミングずれ量検出手段に記憶させておくようにしてもよい。
【０００８】
上記のように構成した本発明においては、トラックエラー信号に重畳されるジャンプパルス信号の波高値が、トラックエラー信号のゼロクロスのタイミングと予め決められたゼロクロス基準タイミングとのタイミングずれ量に応じて制御される。したがって、ジャンプパルス信号の初期の波高値およびゼロクロス基準タイミングを、光スポットが隣のトラックの中心位置に移動した後に、同光スポットの振動が小さくて短時間で振動が収束する値に設定しておけば、ジャンプパルス信号に対するトラックエラー信号の時間遅れの量が光ピックアップごとに異なっても、トラックジャンプ後の光スポットの振動を極めて小さく抑えることができる。そして、このことは、種々の光ピックアップを用いた実験により、確認されている。
【０００９】
また、本発明の他の特徴は、前記本発明の構成に加えて、トラックジャンプ信号の発生開始時点から同トラックジャンプ信号による変化がトラックエラー信号に現れるまでの遅れ時間を検出して、同検出した遅れ時間と予め決められた基準遅れ時間との差を表す遅れ時間ずれ量を計算する遅れ時間ずれ量検出手段を設け、波高値制御手段が、ゼロクロスのタイミングずれ量を遅れ時間ずれ量に応じて補正し、同補正したタイミングずれ量に応じてトラックエラー信号に重畳されるジャンプパルス信号の波高値を制御するようにしたことにある。
【００１０】
そして、この場合も、例えば、入力手段をさらに設けて、ジャンプパルス信号発生手段から発生されるジャンプパルス信号の波高値を可変しながら、トラックエラー信号生成手段から出力されるトラックエラー信号を観察して、トラックエラー信号に重畳されるジャンプパルス信号の初期の波高値、ゼロクロス基準タイミングおよび基準遅れ時間を決定して入力するようにすることができる。このトラックエラー信号の観察においても、光スポットが隣のトラックの中心位置に移動した後に、同光スポットの振動が小さくて短時間で収束するように、ジャンプパルス信号の波高値を決定して、そのときのジャンプパルス信号の波高値、トラックエラー信号のゼロクロスタイミングおよびトラックエラー信号の遅れ時間を、ジャンプパルス信号の初期の波高値、ゼロクロス基準タイミングおよび基準遅れ時間としてそれぞれ決定すればよい。また、入力手段を設けなくても、前記方法により、ジャンプパルス信号の初期の波高値、ゼロクロス基準タイミングおよび基準遅れ時間を別途定め、ジャンプパルス信号発生手段が前記別途定めた初期の波高値でジャンプパルス信号の発生を開始するようにするとともに、同別途定めたゼロクロス基準タイミングおよびトラックエラー信号の遅れ時間を、予め決められたゼロクロス基準タイミングおよび予め決められた基準遅れ時間としてゼロクロスタイミングずれ量検出手段および遅れ時間ずれ量検出手段にそれぞれ記憶させておくようにしてもよい。
【００１１】
前記のように構成した本発明の他の特徴においては、トラックジャンプ信号の発生開始時点から同トラックジャンプ信号による変化がトラックエラー信号に現れるまでの遅れ時間が検出されるとともに、同検出した遅れ時間と予め決められた基準遅れ時間との差を表す遅れ時間ずれ量が計算され、ゼロクロスのタイミングずれ量が前記計算した遅れ時間ずれ量に応じて補正される。本発明者は、光ディスクの回転速度を大幅に変更した場合には、トラックジャンプ信号の発生開始時点から同トラックジャンプ信号による変化がトラックエラー信号に現れるまでの遅れ時間が変化することも実験により確認している。したがって、ジャンプパルス信号の初期の波高値、ゼロクロス基準タイミングおよびトラックエラー信号の遅れ時間を、光スポットが隣のトラックの中心位置に移動した後に、同光スポットの振動が小さくて短時間で収束する値に設定しておけば、光ディスクの回転速度を大幅に変更しても、トラックジャンプ後の光スポットの振動を極めて小さく抑えることができる。そして、このことは、種々の光ピックアップを用いた実験により、確認されている。
【００１２】
また、上記トラックジャンプ制御装置に係る発明の特徴は、前記各手段を実現するステップからなるトラックジャンプ制御方法にも適用できる。
【発明を実施するための最良の形態】
【００１３】
ａ．第１実施形態
以下、本発明の第１実施形態を図面を用いて説明すると、図１は、ＣＤ、ＤＶＤなどの光ディスクＤＫの検査などに利用される第１実施形態に係る光ディスク装置であって、本発明に係るトラックジャンプ制御装置およびトラックジャンプ制御方法を適用した光ディスク装置の全体を概略的に示すブロック図である。
【００１４】
この光ディスク装置は、エンコーダ１１ａを一体的に組み付けてなるスピンドルモータ１１を備えている。スピンドルモータ１１は、光ディスクＤＫの組み付けられる支持テーブル１２を回転駆動する。エンコーダ１１ａは、スピンドルモータ１１の回転すなわち支持テーブル１２（光ディスクＤＫ）の回転を検出するもので、支持テーブル１２（光ディスクＤＫ）の回転位置が基準回転位置に来るごとに基準信号であるインデックス信号INDEXと、所定の微小な回転角度ずつハイレベルとローレベルとを繰返すパルス列信号からなる回転信号φA，φBを出力する。なお、これらの回転信号φA，φBの位相は互いにπ／２だけずれている。
【００１５】
これらの信号INDEX，φA，φBは、スピンドルモータ制御回路１３に供給されている。スピンドルモータ制御回路１３には、後述するウォブル信号およびエンコーダ１４ａからの信号INDEX，φA，φBも入力されている。スピンドルモータ制御回路１３は、ウォブル信号が検出される光ディスクＤＫにおいては、このウォブル信号が設定された周波数になるようにスピンドルモータ１１の回転を制御して、光ディスクＤＫ上のレーザ光による光スポットの線速度が常に一定となるようにする。一方、ウォブル信号が検出されない光ディスクＤＫにおいては、エンコーダ１１ａからの信号INDEX，φA，φBに基づいて光ディスクＤＫの回転速度を検出し、この検出回転速度が、後述するエンコーダ１４ａからの信号INDEX，φA，φBにより算出される光ディスクＤＫ上のレーザ光による光スポットの半径位置に基づいて設定される回転速度になるようにスピンドルモータ１１の回転を制御して、光ディスクＤＫ上のレーザ光による光スポットの線速度が常に一定となるようにする。
【００１６】
また、このスピンドルモータ１１は、支持テーブル１２と共に、フィード機構により光ディスクＤＫの径方向に駆動される。フィード機構は、フィードモータ１４と、スピンドルモータ１１などを固定するとともに前記径方向の移動のみを許容された支持部材１５とを備えている。フィードモータ１４と支持部材１５とは、前記径方向に延設されていてフィードモータ１４によって軸線回りに回転するスクリューロッド１６と、支持部材１５に固着されスクリューロッド１６に螺合したナット（図示しない）からなるねじ機構により連結されている。これにより、フィードモータ１４の回転により、支持部材１５は、スピンドルモータ１１などと共にスクリューロッド１６の軸線方向すなわち光ディスクＤＫの径方向に変位する。フィードモータ１４もエンコーダ１４ａを備えており、エンコーダ１４ａはスピンドルモータ１１の場合と同様なインデックス信号INDEXおよび回転信号φA，φBを出力する。
【００１７】
また、この光ディスク装置には、レーザ光を光ディスクＤＫに照射してその反射光を受光するための光ピックアップ２０が組み付けられるようになっている。光ピックアップ２０は、レーザ光源２１、コリメートレンズ２２、偏光ビームスプリッタ２３、１／４波長板２４、対物レンズ２５、集光レンズ２６、シリンドリカルレンズ２７及び４分割フォトディテクタ２８を備えている。そして、この光ピックアップ２０においては、レーザ光源２１からのレーザ光を、コリメートレンズ２２、偏光ビームスプリッタ２３、１／４波長板２４及び対物レンズ２５を介して、光ディスクＤＫに照射して光ディスクＤＫ上に光スポットを形成し、この光スポットによる光ディスクＤＫからの反射光を、対物レンズ２５、１／４波長板２４、偏光ビームスプリッタ２３、集光レンズ２６及びシリンドリカルレンズ２７を介して、４分割フォトディテクタ２８で受光して、光ディスクＤＫの信号記録状態を表す受光信号を出力するようになっている。
【００１８】
この場合、４分割フォトディテクタ２８は、図２に示すように、光ディスクＤＫからの反射光の光軸に直交する平面内に配置された４個のフォトディテクタ素子２８ａ，２８ｂ，２８ｃ，２８ｄからなる。これらの４個のフォトディテクタ素子２８ａ，２８ｂ，２８ｃ，２８ｄは、各分割線で区切られた４つの同一正方形状に形成されており、受光量に比例した検出信号Ａ，Ｂ，Ｃ，Ｄをそれぞれ受光信号として出力する。なお、フォトディテクタ素子２８ａとフォトディテクタ素子２８ｂとをそれぞれ結ぶ方向（フォトディテクタ素子２８ｄとフォトディテクタ素子２８ｃとを結ぶ方向に同じ）が、光ディスクＤＫの径方向に対応している。
【００１９】
この４分割フォトディテクタ２８には、ＨＦ信号増幅回路３１を介してトラックエラー信号生成回路３２が接続されている。ＨＦ信号増幅回路３１はフォトディテクタ素子２８ａ，２８ｂ，２８ｃ，２８ｄにより検出された受光信号Ａ，Ｂ，Ｃ，Ｄをそれぞれ増幅して、トラックエラー信号生成回路３２に出力する。トラックエラー信号生成回路３２は、受光信号Ａ，Ｄを加算した加算結果Ａ＋Ｄから、受光信号Ｂ，Ｃを加算した加算結果Ｂ＋Ｃを減算して、同減算結果(Ａ＋Ｄ)−(Ｂ＋Ｃ)をトラックエラー信号として出力する。なお、このトラックエラー信号は、光スポットのトラックからのずれ量を表すものであるが、光ディスクＤＫ上のトラックが微視的には径方向に正弦波状に波打って形成されていて、前述した光スポットを線速度を一定に保つために利用されるウォブル信号（例えば、ＣＤでは２２．０５KHz、ＤＶＤでは１５０KHzの正弦波状信号）をも含んでいる。
【００２０】
トラックエラー信号生成回路３２には、バンドパスフィルタ３３およびトラックサーボ制御回路３４が接続されている。バンドパスフィルタ３３は、トラックエラー信号に含まれている前述のウォブル信号を抽出してスピンドルモータ制御回路１３に出力する。トラックサーボ制御回路３４は、光スポットのトラックからのずれ量を表す信号に基づいて光スポットをトラックの中心にサーボ制御するためのトラックサーボ制御信号を加算器３５を介してドライブ回路３６に供給する。
【００２１】
また、光ピックアップ２０は、ドライブ回路３６によって駆動されて、対物レンズ２５を光ディスクＤＫの径方向に駆動するトラックアクチュエータ２５ａも備えている。ドライブ回路３６は、前記供給されるトラックサーボ制御信号を入力し、対物レンズ２５を細かく振動させて光スポットがトラックの中心位置に来るようにトラックアクチュエータ２５ａを駆動制御する。また、トラックサーボ制御回路３４の出力はスレッドサーボ制御回路３７にも供給されている。スレッドサーボ制御回路３７は、対物レンズ２５の振動中心が中立位置（光軸の位置）よりもずれている量を表す信号（直流成分）をトラックサーボ制御信号から取出して、前記取出したずれ量を「０」にするようにフィードモータ１４を制御する。また、スレッドサーボ制御回路３７は電源投入段階では、エンコーダ１４ａから入力する信号INDEX，φA，φBを用いて、光ディスクＤＫ上の半径位置を計算し、計算した半径位置が設定された値になるまで、フィードモータ１４を駆動制御する。
【００２２】
また、この光ディスク装置は、光スポットをトラックジャンプさせるためのジャンプパルス信号発生回路４１を備えている。ジャンプパルス信号は、図４(Ａ)に示すように、所定の同一幅かつ同一波高値を有する正パルス信号（キックパルス）および負パルス信号（ブレーキパルス）からなる。なお、正パルス信号および負パルス信号の幅および波高値を同一にするのは、トラックジャンプを的確に行うための経験則によるものである。また、正パルス信号と負パルス信号との間にグランドレベルを所定時間だけ設けることも、トラックジャンプを的確に行うための経験則によるものである。
【００２３】
ジャンプパルス信号発生回路４１には、波高値可変回路４２が接続されている。波高値可変回路４２は、ジャンプパルス信号発生回路４１から出力されたジャンプパルス信号の正パルス信号および負パルス信号の各波高値を可変制御するもので、この波高値を可変制御したジャンプパルス信号を加算器３５に供給して、トラックサーボ制御信号に重畳する。
【００２４】
この波高値可変回路４２には、ジャンプパルス信号の波高値の変更量を制御するためのゼロクロスタイミング検出回路４３、ずれ量計算回路４４および波高値変更量計算回路４５が接続されている。ゼロクロスタイミング検出回路４３は、トラックエラー信号生成回路３２からのトラックエラー信号と、ジャンプパルス信号発生回路４１からのジャンプパルス信号とを入力して、図４に示すように、ジャンプパルス信号の発生開始を基準にしたトラックエラー信号のゼロクロスのタイミングＴを検出する。
【００２５】
具体的には、ゼロクロスタイミング検出回路４３は、タイマ回路を備えており、ジャンプパルス信号の立ち上がりに応答してトラックエラー信号のサンプリングを開始して、サンプリング開始からの経過時間とサンプリング値とを対にして取得するとともに、各サンプリングの少なくとも１つ前のサンプリング値および同サンプリング値に対応した経過時間を記憶しておくようにする。そして、サンプリング値が最初に負に変化したサンプリング値を検出した時点で、この検出サンプリング値と１つ前のサンプリング値とを用いて、両サンプリング値に対応した２つの経過時間との間に補間演算を施して、トラックエラー信号のゼロクロスタイミングＴを計算する。
【００２６】
ずれ量計算回路４４は、ゼロクロスタイミング検出回路４３からゼロクロスタイミングＴと、初期に入力器４６から供給されるゼロクロス基準タイミングＴoとを入力して、ゼロクロスタイミングＴからゼロクロス基準タイミングＴoを減算することによりタイミングずれ量Ｔd（＝Ｔ−Ｔo）を計算して波高値変更量計算回路４４に出力する。
【００２７】
波高値変更量計算回路４５は、タイミングずれ量Ｔdに応じてトラックエラー信号に重畳されるジャンプパルス信号の波高値の変更量Ｖxを計算して波高値可変回路４２に出力する。この波高値変更量Ｖxを算出するために、波高値変更量計算回路４５は、初期に入力器４６から与えられていてタイミングずれ量Ｔdを変数とする波高値変更量Ｖxの関数を表す関数データまたは変換テーブルを記憶する。この場合の関数は、例えば図３に示すように、波高値変更量Ｖxがタイミングずれ量Ｔdに比例するものであるが、比例関係になくても実験により求めた種々の関数を利用できる。
【００２８】
また、この光ディスク装置は、入力器４６、表示器４７およびオシロスコープ４８も備えている。入力器４６は、ユーザによって回路動作の指示、数字、その他の制御データを入力するもので、波高値可変回路４２、ずれ量計算回路４４および波高値変更量計算回路４５に、トラックサーボ制御信号に重畳される初期のジャンプパルス信号の波高値、ゼロクロス基準タイミングＴo、およびタイミングずれ量Ｔdに対する波高値変更量Ｖxの関数を表す関数データまたは変換テーブルをそれぞれ初期に供給する。また、入力器４６は、自動的またはユーザの操作によって、ジャンプパルス信号発生回路４１にジャンプパルス信号の発生を指示するジャンプパルス信号発生指示信号を出力する機能も有する。表示器４７は、ゼロクロスタイミング検出回路４３によって検出されたゼロクロスタイミングＴを表示する。オシロスコープ４８はジャンプパルス信号発生回路４１からのジャンプパルス信号およびトラックエラー信号生成回路３２からのトラックエラー信号を同期表示する。
【００２９】
上記のように構成した第１実施形態の動作を説明する。まず、光スポットが光ディスクＤＫのトラックを線速度一定で追従する動作について説明する。支持テーブル１２に光ディスクＤＫを組み付ける。例えば、検査しようとする光ディスクＤＫを支持テーブル１２に組み付ける。スピンドルモータ１１を作動させて、光ディスクＤＫを回転させる。このとき、スレッドサーボ制御回路３７がエンコーダ１４ａからの信号INDEX，φA，φBにより計算される半径位置になるまで信号を出力するので、フィードモータ１４が回転し、光ディスクＤＫ上のレーザ光照射位置が設定された位置になる。また、光ピックアップ２０も作動させて、レーザ光源２１からのレーザ光を光ディスクＤＫに照射させるとともに、同光ディスクＤＫからの反射光を４分割フォトディテクタ２８に受光させて、同受光した反射光を表す受光信号Ａ，Ｂ，Ｃ，ＤをＨＦ信号増幅回路３１を介してトラックエラー信号生成回路３２に出力させる。トラックエラー信号生成回路３２は、前記受光信号Ａ，Ｂ，Ｃ，Ｄに基づいてトラックエラー信号(Ａ＋Ｄ)−(Ｂ＋Ｃ)を形成して、同形成したトラックエラー信号をトラックサーボ制御回路３４に出力するとともに、バンドパスフィルタ３３を介してスピンドルモータ制御回路１３に出力する。
【００３０】
トラックサーボ制御回路３４は、トラックサーボ制御信号を、加算器３５を介してドライブ回路３６に出力するとともに、スレッドサーボ制御回路３７にも出力する。ドライブ回路３６はこのトラックサーボ制御信号に応じてトラックアクチュエータ２５ａを制御し、トラックアクチュエータ２５ａが対物レンズ２５を光ディスクＤＫの径方向にサーボ制御する。これにより、光ディスクＤＫに対するレーザ光の照射位置が、径方向の振動を伴いながらトラックを追従するように制御される。また、スレッドサーボ制御回路３７は、入力信号から直流成分を抽出して、同抽出した直流成分を用いてフィードモータ１４をサーボ制御する。フィードモータ１４は、スクリューロッド１６を回転させて支持部材１５を光ディスクＤＫの径方向に前記直流成分に応じて移動させる。したがって、光ディスクＤＫは、スピンドルモータ１１及び支持テーブル１２と共に、対物レンズ２５に対して径方向に相対移動する。その結果、フィードモータ１４が対物レンズ２５と光ディスクＤＫの相対位置を大きくかつゆっくりと変更しながら、トラックアクチュエータ２５ａが対物レンズ２５を常にほぼ中立位置を中心に振動させることにより、光ディスクＤＫに対するレーザ光の照射位置がトラックを正確に追従するように制御される。
【００３１】
一方、スピンドルモータ制御回路１３は、ウォブル信号が検出されるときは、このウォブル信号が設定された周波数になるようにスピンドルモータ１１の回転を制御して、光ディスクＤＫ上のレーザ光による光スポットの線速度が常に一定となるように制御する。また、ウォブル信号が検出されない光ディスクＤＫにおいては、エンコーダ１１ａからの信号INDEX，φA，φBに基づいて光ディスクＤＫの回転速度を検出し、この検出回転速度が、エンコーダ１４ａからの信号INDEX，φA，φBにより算出される光ディスクＤＫ上のレーザ光による光スポットの半径位置に基づいて設定される回転速度になるようにスピンドルモータ１１の回転を制御して、光ディスクＤＫ上のレーザ光による光スポットの線速度が一定となるように制御する。これにより、光スポットは光ディスクＤＫのトラックを線速度一定で追従し続けることになる。
【００３２】
次に、トラックサーボ制御信号に重畳される初期のジャンプパルス信号の波高値、ゼロクロス基準タイミングＴo、およびタイミングずれ量Ｔdに対する波高値変更量Ｖxの関数を表す関数データまたは変換テーブルを初期設定する動作について説明する。前記波高値変更量Ｖxの関数を表す関数データまたは変換テーブルに関しては、ユーザは、実験などにより決定した関数データまたは変換テーブルを入力器４６を用いて波高値変更量計算回路４５に入力して初期設定する。
【００３３】
また、初期のジャンプパルス信号の波高値およびゼロクロス基準タイミングＴoに関しては、前述のように、光スポットが光ディスクＤＫのトラックを線速度一定で追従し続けている状態で行う。すなわち、光スポットが光ディスクＤＫのトラックを追従している前記状態で、ユーザが入力器４６を操作することにより、ジャンプパルス信号発生回路４１にジャンプパルス信号の発生を指示する。この指示に応答して、ジャンプパルス信号発生回路４１は、図４(Ａ)に示すようなジャンプパルス信号を波高値可変回路４２に供給する。波高値可変回路４２は、初期状態で設定されている波高値を有するジャンプパルス信号を加算器３５に供給する。
【００３４】
加算器３５は、このジャンプパルス信号をトラックサーボ制御回路３４から出力されているトラックサーボ制御信号に重畳して、ドライブ回路３６に供給する。そして、ドライブ回路３６が、このジャンプパルス信号の重畳されたトラックサーボ制御信号に応じてトラックアクチュエータ２５ａを駆動制御するので、光ディスクＤＫ上の光スポットはトラックジャンプする。この第１実施形態の場合、正パルス信号およびこれに続く負パルス信号からなるジャンプパルス信号により、光スポットは光ディスクＤＫの径方向外側に１トラック分だけジャンプする。このトラックジャンプにより、トラックエラー信号生成回路３２は、図４(Ａ)に示すような正弦波状に変化するトラックエラー信号をゼロクロスタイミング検出回路４３およびオシロスコープ４８に出力する。
【００３５】
オシロスコープ４８は、ジャンプパルス信号発生回路４１から前記発生されたジャンプパルス信号も入力しており、これらのジャンプパルス信号およびトラックエラー信号を同期表示する。この場合、オシロスコープ４８に表示されるトラックエラー信号は、トラックジャンプ後に振動する成分を含んで表示される。ユーザは、オシロスコープ４８を見ながら、トラックジャンプ後に振動する成分が最も少ない状態になるジャンプパルス信号の波高値を決定するために、入力器４６を操作してジャンプパルス信号の波高値を増減するための波高値制御データを入力する。入力器４６によって入力された波高値制御データは、波高値可変回路４２に供給される。
【００３６】
そして、ユーザが入力器４６を操作してふたたびジャンプパルス信号をジャンプパルス信号発生回路４１に発生させると、波高値可変回路４２は前記供給された波高値制御データによりジャンプパルス信号の波高値を増減して、加算器３５を介してドライブ回路３６に供給する。ドライブ回路３６はトラックアクチュエータ２５ａを前記ジャンプパルス信号に応じて制御して、光ディスクＤＫ上の光スポットをふたたびトラックジャンプさせる。前述のように、このトラックジャンプによるトラックエラー信号はオシロスコープ４８にふたたび表示されるので、ユーザはこのトラックエラー信号を見ながら、トラックジャンプ後に振動する成分が最も少ない状態になるジャンプパルス信号の波高値を決定するために、入力器４６をふたたび操作してジャンプパルス信号の波高値を増減する。このような操作の繰り返しにより、ユーザはジャンプパルス信号の最も適切な波高値を決定する。
【００３７】
一方、前記ユーザによるジャンプパルス信号の波高値の選択中も、ゼロクロスタイミング検出回路４３はトラックエラー信号を入力するとともにジャンプパルス信号発生回路４１からのジャンプパルス信号を入力していて、ジャンプパルス信号の発生開始を基準にしたトラックエラー信号のゼロクロスタイミングＴを検出している。このゼロクロスタイミングＴは表示器４７に出力され、表示器４７はこのゼロクロスタイミングＴを表示する。
【００３８】
ユーザは、前記ジャンプパルス信号の最も適切な波高値を決定したとき、同決定を表す指示を入力器４６に入力すると同時に、そのときに表示器４７に表示されているゼロクロスタイミングＴを入力する。これにより、入力器４６は、波高値可変回路４２に前記波高値を決定した際の波高値の増減を表す波高値制御データを記憶することを、波高値可変回路４２に指示する。波高値可変回路４２は、この指示に応答して、前記波高値制御データをジャンプパルス信号の波高値の初期値を表すものとして記憶する。また、前記入力器４６に入力されたゼロクロスタイミングＴはずれ量計算回路４４に供給され、ずれ量計算回路４４は、このゼロクロスタイミングＴをゼロクロス基準タイミングＴoとして記憶する。これにより、ジャンプパルス信号の波高値およびゼロクロス基準タイミングＴoの初期設定が終了する。
【００３９】
なお、前記のように、波高値可変回路４２に対する波高値制御データの記憶の指示およびゼロクロスタイミングＴの入力の指示に代えて、ユーザがジャンプパルス信号の最も適切な波高値を決定したときに、ジャンプパルス信号の波高値およびゼロクロス基準タイミングＴoの初期設定が自動的になされるようにしてもよい。この場合、ユーザがジャンプパルス信号の最も適切な波高値を決定したことを入力器４６に指示すると、入力器４６からの指示により、波高値可変回路４２が、そのときのジャンプパルス信号の波高値の増減値を表す波高値制御データを、初期の波高値を表す初期データとして自動的に記憶するようにすればよい。また、入力器４６からの指示により、ゼロクロスタイミング検出回路４３はそのときに検出されているゼロクロスタイミングＴをずれ量計算回路４３に自動的に転送し、ずれ量計算回路４３が同ゼロクロスタイミングＴをゼロクロス基準タイミングＴoとして自動的に記憶するようにすればよい。
【００４０】
次に、これらのジャンプパルス信号の初期波高値およびゼロクロス基準タイミングＴoを用いたトラックジャンプ制御について説明する。光ディスクＤＫの検査または他の理由により、ユーザの操作によりまたは自動的に入力器４６からジャンプパルス信号の発生がジャンプパルス信号発生回路４１に指示されると、ジャンプパルス信号発生回路４１が前述した場合と同様なジャンプパルス信号を波高値可変回路４２に出力する。この場合、初回のジャンプパルス信号に対しては、波高値可変回路４２は前記記憶した初期データに応じてジャンプパルス信号の波高値を制御して加算器３５に出力する。
【００４１】
加算器３５は、このジャンプパルス信号をトラックサーボ制御回路３４から出力されているトラックサーボ制御信号に重畳して、ドライブ回路３６に供給する。そして、ドライブ回路３６が、このジャンプパルス信号の重畳されたトラックサーボ制御信号に応じてトラックアクチュエータ２５ａを駆動制御するので、光ディスクＤＫ上の光スポットはトラックジャンプする。この光スポットのトラックジャンプにより、トラックエラー信号生成回路３２はトラックエラー信号をゼロクロスタイミング検出回路４３に出力する。ゼロクロスタイミング検出回路４３は、前述と同様にしてトラックエラー信号のゼロクロスタイミングＴを検出して、ずれ量計算回路４４に出力する。ずれ量計算回路４４は、ゼロクロスタイミングＴから前記初期設定されたゼロクロス基準タイミングＴoを減算することによりタイミングずれ量Ｔd（＝Ｔ−Ｔo）を計算して、波高値変更量計算回路４５に出力する。波高値変更量計算回路４５は、前記初期設定された関数データまたはテーブルを用いて、タイミングずれ量Ｔdに対応した波高値変更量Ｖxを計算して波高値可変回路４２に出力する。
【００４２】
波高値可変回路４２は、入力器４６により指示されてジャンプパルス信号発生回路４１から次に発生されるジャンプパルス信号の波高値を前記供給されている波高値変更量Ｖxだけ変更して、加算器３５に出力する。例えば、図４(Ｂ)に示すように、前回のトラックエラー信号のゼロクロスが遅れてタイミングずれ量Ｔdが正であれば、ゼロクロスタイミング検出回路４３、ずれ量計算回路４４および波高値変更量計算回路４５は、タイミングずれ量Ｔdにほぼ比例した正の波高値変更量Ｖxを計算する。そして、波高値可変回路４２は、ジャンプパルス信号の波高値を波高値変更量Ｖxだけ増加させる。これにより、このジャンプパルス信号に起因したトラックエラー信号のゼロクロスタイミングＴは減少制御されてゼロクロス基準タイミングＴoに近づく方向に変化するので、トラックジャンプ後の光スポットの振動が抑制される。
【００４３】
また、例えば、図４(Ｃ)に示すように、前回のトラックエラー信号のゼロクロスが早くてタイミングずれ量Ｔdが負であれば、ゼロクロスタイミング検出回路４３、ずれ量計算回路４４および波高値変更量計算回路４５は、タイミングずれ量Ｔdにほぼ比例した負の波高値変更量−Ｖxを計算する。そして、波高値可変回路４２は、ジャンプパルス信号の波高値を波高値変更量Ｖxだけ減少させる。これにより、このジャンプパルス信号に起因したトラックエラー信号のゼロクロスタイミングＴは増加制御されてゼロクロス基準タイミングＴoに近づく方向に変化するので、トラックジャンプ後の光スポットの振動が抑制される。
【００４４】
したがって、上記第１実施形態に係る光ディスク装置によれば、ジャンプパルス信号に対するトラックエラー信号の時間遅れ量が光ピックアップ２０ごとに異なっても、トラックジャンプ後の光スポットの振動を極めて小さく抑えることができる。そして、このことは、種々の光ピックアップ２０を用いた実験により、確認されている。
【００４５】
なお、この光ディスク装置は、光スポットのトラックジャンプを実行して、光ディスクＤＫを検査するものであるが、検査内容に関しては、本発明に直接関係しないので、その説明を省略する。そして、このようなトラックジャンプを伴う光ディスクの検査が終了すると、新たな光ディスクＤＫを支持テーブル１２に組み付けて、トラックジャンプを伴う前記新たな光ディスクＤＫの検査を行う。この場合、光ピックアップ２０は前回の光ディスクＤＫの検査時と同一の光ピックアップ２０を用いるので、前述のようなジャンプパルス信号の初期の波高値、トラックエラー信号のゼロクロス基準タイミングＴo、およびタイミングずれ量Ｔdに対する波高値変更量Ｖxの関数を表す関数データまたは変換テーブルを新たに設定する必要はなく、前記波高値可変回路４２、ずれ量計算回路４３および波高値変更量計算回路４５にそれぞれ初期に記憶させた初期の波高値、ゼロクロス基準タイミングＴo、および関数データまたは変換テーブルを利用できる。
【００４６】
ｂ．第２実施形態
次に、上記第１実施形態の一部を変形した第２実施形態について説明する。この第２実施形態は、光ディスクＤＫの回転速度を大幅に変更した場合に、トラックジャンプ信号の発生開始時点から同トラックジャンプ信号による変化がトラックエラー信号に現れるまでの遅れ時間が変化することに対処させるものである。
【００４７】
この第２実施形態に係る光ディスク装置は、図５に示すように、上記第１実施形態に係る光ディスク装置に遅れ時間ずれ量検出回路５１を付加したものである。遅れ時間ずれ量検出回路５１は、図６に示すように、トラックジャンプ信号の発生開始時点から同トラックジャンプ信号による変化がトラックエラー信号に現れるまでの遅れ時間ＴＬを検出して、同検出した遅れ時間ＴＬと予め決められた基準遅れ時間ＴＬoとの差を表す遅れ時間ずれ量ＴＬ−ＴＬoを計算する。そして、この場合、ずれ量計算回路４４ａは、上記第１実施形態のゼロクロス基準タイミングＴoに遅れ時間ずれ量ＴＬ−ＴＬoを加算することにより、ゼロクロス基準タイミングＴoを補正した補正ゼロクロス基準タイミングＴo’（＝Ｔo＋ＴＬ−ＴＬo）を計算する。そして、ずれ量計算回路４４ａは、ゼロクロスタイミング検出回路４３から供給されるゼロクロスタイミングＴから補正ゼロクロス基準タイミングＴo’を減算したタイミングずれ量Ｔd’（＝Ｔ−Ｔo’）を波高値変更量計算回路４５に上記実施形態のタイミングずれ量Ｔdに代えて出力する。その結果、上記第１実施形態におけるゼロクロスのタイミングずれ量Ｔdが前記計算した遅れ時間ずれ量ＴＬ−ＴＬoに応じて補正されることになる。
【００４８】
この遅れ時間ずれ量検出回路５１について詳しく説明すると、同検出回路５１はトラックエラー信号生成回路３２からのトラックエラー信号を微分する微分器を備えているとともに、この微分波形信号が所定レベルを超えたことを判定する比較器も備えている。また、遅れ時間ずれ量検出回路５１は、タイマ回路も備え、ジャンプパルス信号発生回路４１からジャンプパルス信号を入力して、同ジャンプパルス信号の発生開始から前記微分波形信号が所定レベルを超えたときまでの時間を計測して、同計測時間を遅れ時間ＴＬとして設定する。さらに、遅れ時間ずれ量検出回路５１は、入力器４６から初期に基準遅れ時間ＴＬoも入力しており、前記遅れ時間ＴＬから基準遅れ時間ＴＬoを減算することにより遅れ時間ずれ量ＴＬ−ＴＬoを計算してずれ量計算回路４４ａに出力する。また、遅れ時間ずれ量検出回路５１は前記検出した遅れ時間ＴＬを表示器４７に出力する。他の回路については、上記第１実施形態と同じであるので、その説明を省略する。
【００４９】
このように構成した第２実施形態の動作を説明すると、初期設定においては、上記第１実施形態におけるジャンプパルス信号の波高値の初期値、ゼロクロス基準タイミングＴoおよび波高値変更量計算回路４５における関数データまたはテーブルの初期設定に加えて、基準遅れ時間ＴＬoも初期設定する。この場合も、上記第１実施形態の場合と同様に、ユーザは、光スポットをトラックジャンプさせながら、オシロスコープ４８を観察してジャンプパルス信号の最も適切な波高値を決定する。このとき、ゼロクロスタイミング検出回路４３によって検出されたゼロクロスタイミングＴに加えて、遅れ時間ずれ量検出回路５１によって検出された遅れ時間ＴＬも表示器４７に供給されていて、表示器４７は、ゼロクロスタイミングＴと共に遅れ時間ＴＬも表示している。したがって、ユーザは、入力器４６を用いて、上記第１実施形態と同様な、ジャンプパルス信号の波高値の初期値およびゼロクロス基準タイミングＴoを入力すると同時に、そのときに表示器４７に表示されている遅れ時間ＴＬを基準遅れ時間ＴＬoとして入力する。これにより、入力器４６は、ジャンプパルス信号の波高値の初期値、ゼロクロス基準タイミングＴoおよび関数データまたはテーブルの初期設定に加えて、遅れ時間ＴＬを基準遅れ時間ＴＬoとして遅れ時間ずれ量検出回路５１に初期記憶させる。
【００５０】
なお、この場合も、入力器４６を用いて基準遅れ時間ＴＬoを入力するのに代えて、ユーザがジャンプパルス信号の最も適切な波高値を決定したときに、ジャンプパルス信号の波高値およびゼロクロス基準タイミングＴoの初期設定とともに、基準遅れ時間ＴＬoが遅れ時間ずれ量検出回路５１に自動的に記憶されるようにしてもよい。
【００５１】
そして、ジャンプパルス信号の初期波高値、ゼロクロス基準タイミングＴo、遅れ時間ずれ量ＴＬ−ＴＬo、および関数データまたは変換テーブルを用いた実際のトラックジャンプ制御について説明する。この場合、光スポットがジャンプパルス信号によってトラックジャンプすると、ゼロクロスタイミング検出回路４３、ずれ量計算回路４４ａ、波高値変更量計算回路４５、波高値可変回路４２および遅れ時間ずれ量検出回路５１は、ジャンプパルス信号発生回路４１から次回に出力されるジャンプパルス信号の波高値を制御する。この場合、遅れ時間ずれ量検出回路５１およびずれ量計算回路４４ａは、上記第１実施形態のタイミングずれ量Ｔdに代えて、遅れ時間ＴＬおよび基準遅れ時間ＴＬoを考慮したタイミングずれ量Ｔd’{＝Ｔ−(Ｔo＋ＴＬ−ＴＬo)}を計算して波高値変更量計算回路４５に出力する。そして、波高値変更量計算回路４５、波高値可変回路４２、加算器３５、ドライブ回路３６およびトラックアクチュエータ２５ａは、上記第１実施形態の場合と同様に動作して光ディスクＤＫ上の光スポットをトラックジャンプさせる。他の動作に関しても、上記第１実施形態と同様である。
【００５２】
このような作動説明からも理解できるように、上記第２実施形態によれば、トラックジャンプ信号の発生開始時点から同トラックジャンプ信号による変化がトラックエラー信号に現れるまでの遅れ時間ＴＬが検出されるとともに、同検出した遅れ時間ＴＬと初期に設定された基準遅れ時間ＴＬoとの差を表す遅れ時間ずれ量ＴＬ−ＴＬoが計算され、ゼロクロスのタイミングずれ量はＴd’{＝Ｔ−(Ｔo＋ＴＬ−ＴＬo)}に補正される。したがって、光ディスクＤＫの回転速度を大幅に変更して遅れ時間ＴＬが変動しても、トラックジャンプ後の光スポットの振動を極めて小さく抑えることができる。
【００５３】
さらに、本発明の実施にあたっては、上記第１および第２実施形態に限定されるものではなく、本発明の目的を逸脱しない限りにおいて種々の変更が可能である。
【００５４】
例えば、上記第１および第２実施形態においては、初期の段階で、入力器４６を用いて、ジャンプパルス信号の波高値の初期値、ゼロクロス基準タイミングＴo、波高値変更量計算回路４５における関数データまたはテーブル、および基準遅れ時間ＴＬoをそれぞれ入力するようにした。しかし、光ピックアップ２０として常に同じ種類のものを用いるような場合には、ジャンプパルス信号の波高値の初期値、ゼロクロス基準タイミングＴo、波高値変更量計算回路４５における関数データまたはテーブル、および基準遅れ時間ＴＬoに関する初期制御データを別途定め、同別途定めた初期制御データを光ディスク装置に予め設定しておくようにすれば、前記初期設定は不要となる。
【００５５】
また、上記第１および第２実施形態においては、光ディスクＤＫ上の光スポットを外側へトラックジャンプさせる場合についてのみ説明したが、同光スポットを内側へトラックジャンプさせるようにしてもよい。この場合には、キックパルスを負パルス信号とするとともに、ブレーキパルスを正パルス信号とし、負パルス信号の後に正パルス信号を連続させたジャンプパルス信号を用いるようにすればよい。
【００５６】
また、上記第１および第２実施形態においては、光ピックアップ２０と光ディスクＤＫとの径方向相対位置を変化させるために、フィードモータ１４、支持部材１５およびスクリューロッド１６などからなるフィード機構を用いてスピンドルモータ１１及び支持テーブル１２を移動させるようにした。しかし、これに代えて、光ピックアップ２０全体をフィード機構により光ディスクＤＫの径方向に移動させるようにして、光ピックアップ２０と光ディスクＤＫとの径方向相対位置を変化させるようにしてもよい。
【００５７】
また、上記第１および第２実施形態においては、ジャンプパルス信号発生回路４１、波高値可変回路４２、ゼロクロスタイミング検出回路４３、ずれ量検出回路４４，４４ａ、波高値変更量計算回路４５、入力器４６および遅れ時間ずれ量検出回路５１としてディスクリートなハード回路を用いるようにしたが、それらの一部または全部をコンピュータのプログラム処理によるソフト制御処理に置き換えることもできる。
【００５８】
さらに、上記第１および第２実施形態においては、光ディスクＤＫを検査するために光スポットをトラックジャンプさせる光ディスク装置に本発明を適用するようにしたが、本発明は光ディスクＤＫ上の光スポットをトラックジャンプさせる場合に広く適用できるものである。
【図面の簡単な説明】
【００５９】
【図１】本発明の第１実施形態に係る光ディスク装置の全体を概略的に示すブロック図である。
【図２】図１の４分割フォトディテクタの概略図である。
【図３】ゼロクロスタイミングずれ量Ｔdと波高値変更量Ｖxの関係の一例を示すグラフである。
【図４】(Ａ)〜(Ｃ)は、トラックエラー信号とジャンプパルス信号の波形図である。
【図５】本発明の第２実施形態に係る光ディスク装置の全体を概略的に示すブロック図である。
【図６】前記第２実施形態におけるトラックエラー信号、同信号の微分信号およびジャンプパルス信号の波形図である。
【図７】(Ａ)〜(Ｃ)は、従来装置におけるトラックエラー信号とジャンプパルス信号の波形図である。
【図８】トラックエラー信号とジャンプパルス信号のタイミングずれを説明するための波形図である。
【符号の説明】
【００６０】
ＤＫ…光ディスク、１１…スピンドルモータ、１３…スピンドルモータ制御回路、１４…フィードモータ、２０…光ピックアップ、２１…レーザ光源、２５…対物レンズ、２５ａ…トラックアクチュエータ、２８…４分割フォトディテクタ、３２…トラックエラー信号生成回路、３４…トラックサーボ制御回路、４１…ジャンプパルス信号発生回路、４２…波高値可変回路、４３…ゼロクロスタイミング検出回路、４４…ずれ量計算回路、４５…波高値変更量計算回路、４６…入力器、４７…表示器、４８…オシロスコープ、５１…遅れ時間ずれ量検出回路
【図１】
2005108276.tif 000003
【図２】
2005108276.tif 000004
【図３】
2005108276.tif 000005
【図４】
2005108276.tif 000006
【図５】
2005108276.tif 000007
【図６】
2005108276.tif 000008
【図７】
2005108276.tif 000009
【図８】
2005108276.tif 000010